(57)【要約】【課題】フレキシブルプリント基板の組み付け作業性を向上させ、不具合の発生頻度を低減し、もってコストダウンを実現することができる光ピックアップを提供する。【解決手段】光学ベースに搭載される電子・電気素子をメイン回路基板に電気的に接続するためのフレキシブルプリント基板を備えた光ピックアップにおいて、前記フレキシブルプリント基板を光学ベース側部２１と引き出し線部２２とに二分割する。二分割されたフレキシブル基板は、互いに半田等により接続される。【選択図】図２
2005276263.tif 000002
【特許請求の範囲】
【請求項１】
光学ベースに搭載される電子・電気素子をメイン回路基板に電気的に接続するためのフレキシブルプリント基板を備えた光ピックアップにおいて、
前記フレキシブルプリント基板を光学ベース側部と引き出し線部とに二分割したことを特徴とする光ピックアップ。
【請求項２】
請求項１に記載された光ピックアップにおいて、
前記光学ベース側部と前記引き出し線部との間をコネクタを用いて接続するようにしたことを特徴とする光ピックアップ。
【請求項３】
請求項２に記載に記載された光ピックアップにおいて、
前記コネクタが前記光学ベースに搭載された、厚さ２．５ｍｍ以下のコネクタであることを特徴とする光ピックアップ。
【請求項４】
請求項１に記載された光ピックアップにおいて、
前記光学ベース側部と前記引き出し線部との間を半田又は異方性導電膜を用いて接続したことを特徴とする光ピックアップ。
【請求項５】
請求項１乃至４のいずれかに記載された光ピックアップを備えたことを特徴とする光ディスクドライブ。
【発明の詳細な説明】
【技術分野】
【０００１】
本発明は、光ディスクドライブに用いられる光ピックアップに関し、特に、そのフレキシブルプリントケーブルに関する。
【背景技術】
【０００２】
光ディスクドライブは、ＣＤ（オーディオＣＤ，ＣＤ−Ｒ，ＣＤ−ＲＷ，ＣＤ−ＲＯＭ）やＤＶＤ（ＤＶＤ−ＲＯＭ，ＤＶＤ−ＲＡＭ，ＤＶＤ±ＲＷ）といった光ディスクに記録された情報を読み出し、また、書き込み可能な光ディスクに対して情報を書き込むための装置である。そのため、光ディスクドライブは、光ディスクにレーザビームを照射し、その反射光を検出するための光ピックアップを備えている。
【０００３】
光ピックアップは、光ディスクの径方向に移動可能に設けられる光学ベースと、この光学ベースに搭載される発光部、受光部及び光学系を含んでいる。そして、発光部及び受光部は、可撓性配線基板であるフレキシブルプリント基板（以下，ＦＰＣと称す）を用いて、光ディスクドライブのメイン回路基板に電気的に接続される。
【０００４】
従来の光ピックアップに用いられるＦＰＣは、図１に示すように、光学ベース１１に搭載される発光部（図示せず）及び受光部（図示せず）に接続される光学ベース側部１２と、光学ベース側部１２とメイン回路基板（図示せず）との間を接続する引き出し線部１３とを有している（例えば、特許文献１参照。）。なお、図１において、光学ベース側部１２のうち、上カバー１４で隠されて見えない部分と図の裏面側に折り曲げられている部分とは破線で示されている。
【０００５】
図１から容易に理解されるように、引き出し線部１３は、光ピックアップ本体から大きく外側へ突出している。これは、引き出し線部１３の左端部が右方向を向くように曲げた状態でておくことで、光学ベース１１の矢印Ａに沿った方向の滑らかな移動、即ち光ディスクの径方向の滑らかな移動を可能にするためである。
【０００６】
【特許文献１】特開２００３−２７２２０８号公報（特に、図２）
【発明の開示】
【発明が解決しようとする課題】
【０００７】
従来の光ピックアップに用いられるＦＰＣは、光学ベース側部から引き出し線部が大きく突出する複雑な形状を有している。それゆえ、従来の光ピックアップには、ＦＰＣを組み付ける際、あるいは光ピックアップを光ディスクドアライブに組み付ける際に、ＦＰＣの取り扱いが困難で、その一部に亀裂や皺、あるいは打痕などの不具合を生じやすいという問題点がある。
【０００８】
また、ＦＰＣは、その形状が複雑であるが故に高価であるという問題点もある。
【０００９】
さらに、ＦＰＣの一部に亀裂、皺、打痕などの不具合が生じた場合には、フレキシブル基板全体を交換しなければならず、高コストであるばかりか、発光部や受光部等との接続を切断する手間を要するという問題点もある。
【００１０】
そこで、本発明は、ＦＰＣの光ピックアップ本体への組み付け及び光ピックアップの光ディスクドライブへの組み付けの作業性を向上させ、不具合の発生頻度を低減し、もってコストダウンを実現することができる光ピックアップを提供することを目的とする。
【課題を解決するための手段】
【００１１】
本発明によれば、光学ベースに搭載される電子・電気素子をメイン回路基板に電気的に接続するためのフレキシブルプリント基板を備えた光ピックアップにおいて、前記フレキシブルプリント基板を光学ベース側部（２１，２１ａ）と引き出し線部（２２，２２ａ）とに二分割したことを特徴とする光ピックアップが得られる。
【００１２】
二分割されたフレキシブル基板は、互いにコネクタ（４１）を用いて接続されるか、半田又は異方性導電膜を用いて接続される。
【００１３】
なお、上記カッコ内の数字は、単に本発明の理解を容易にするために用いられており、何ら本発明を限定するものではない。
【発明の効果】
【００１４】
本発明によれば、光ピックアップとメイン回路基板との間を電気的に接続するフレキシブルプリント基板を、光学ベース側部と引き出し線部とに二分割したことにより、その組み付け作業性を向上させることができ、それによって不具合の発生頻度を低減でき、もってコストダウンを実現することができる。
【００１５】
また、フレキシブルプリント基板に不具合が発生した場合にも、その交換が容易に行え、また、不具合発生時に廃棄される廃棄物の量を低減できる。
【００１６】
さらに、フレキシブルプリント基板が二分割されたことにより、分割された各々のフレキシブルプリント基板の形状が従来のフレキシブルプリントケーブルよりも簡略化されるので、歩留まり及び生産性が向上し、低価格化が実現できる。
【発明を実施するための最良の形態】
【００１７】
以下、図面を参照して本発明の実施の形態について説明する。
【００１８】
図２（ａ）に本発明の一実施の形態にかかる光ピックアップに用いられるフレキシブルプリント基板（以下、ＦＰＣと称す）を示す。
【００１９】
図示のＦＰＣは、光学ベース側部２１と引き出し線部２２とに二分割されている。
【００２０】
光学ベース側部２１は、引き出し線部２２に接続される接続部２３を有している。そして、光学ベース側部２１は、その一部を折り曲げるなどして光学ベースに搭載された発光部や受光部に接続され、接続部２３を外部に露出させるように、光学ベースに取り付けられる。
【００２１】
引き出し線部２２は、光学ベース側部２１の接続部２３に接続される接続部２４を有している。また、引き出し線部２２は、光ディスクドライブのメイン基板に搭載されたコネクタ（図示せず）と嵌合する接続部２５を有している。引き出し線部２２は、光学ベース側部２１が光学ベースに取り付けられた後、接続部２４を接続部２３に接続することにより光ピックアップに組み付けられる。その後、引き出し線部２２の接続部２５が、図示しないメイン基板のコネクタに嵌合接続される。
【００２２】
光学ベース側部２１の接続部２３と引き出し線部２２の接続部２４との接続は、例えば、半田を用いて行われる。半田を用いた接続は、図２（ｂ）に示すように、フレキシブルプリントケーブル上の配線（ハッチング部分）同士を接続するように行われる。
【００２３】
また、接続部２３，２４間の接続は、半田に限らず、他の接続手段、例えば、異方性導電膜（ＡＣＦ）等を用いて行うこともできる。ＡＣＦは、熱圧着加工により厚み方向に対しては導電性を示し、面方向に対しては絶縁性を示す材料である（例えば、フジクラ技法  第９９号  pp.３２−３８  ２０００年１０月  参照）。このような材料を用いることにより、半田を用いた場合よりも容易に接続部２３，２４間を接続することができる。
【００２４】
さらに、図３に示すように、コネクタ４１と接続部４２を用いて、光学ベース側部２１ａと引き出し線部２２ａとの接続部間を接続してもよい。即ち、コネクタ４１を光学ベース側部２１ａの接続部に接続して光学ベース４３に固定し、引き出し線部２２ａの接続部４２を接続する。
【００２５】
本発明の光ピックアップを薄型光ディスクドライブに用いる場合、コネクタ４１は、その厚みが２．５ｍｍ以下であることが望ましい。厚みが２．５ｍｍ以下であれば、現存する薄型光ディスクドライブにそのまま適用できるからである。
【００２６】
図４に、厚み１．１ｍｍのコネクタ４１ａを光学ベース４３ａに搭載した例を示す。図示のように、厚み１．１ｍｍのコネクタであれば、その光学ベース４３ａの搭載によって光ピックアップの厚みに影響を与えることはない。
【００２７】
以上のように、本実施の形態に係る光ピックアップのフレキシブルプリント基板は２分割されているので、その組み付け作業が容易で、不具合の発生頻度を低減することができ、コストダウンを実現できる。また、フレキシブルプリント基板に不具合が発生した場合にも、全体を交換する必要がないのでその交換が容易である。これは、引き出し線部に不具合が発生した場合に、発光部及び受光部との接続を外す必要がないので、特に有効である。また、不具合発生時に廃棄される廃棄物の量を低減できる。また、光学ベース側部２１及び引き出し線部２２の各々は、従来のフレキシブルプリント基板に比べれば、小型であり、その形状が簡略化されているとみなせるので、その取り扱いが容易で、亀裂や皺などの不具合が発生し難くなる。また、フレキシブルプリント基板の製造時においても、形状が簡略化されているので、歩留まりが向上し、コストダウンを実現できる。
【００２８】
本実施の形態に係る光ピックアップは、公知の構成を有する光ディスクドライブ適用でき、特にノートパソコン等に用いられる薄型の光ディスクドライブに適している。
【図面の簡単な説明】
【００２９】
【図１】従来の光ピックアップに使用されるフレキシブルプリント基板を説明するための平面図である。
【図２】本発明の光ピックアップに使用されるフレキシブルプリント基板の平面図である。
【図３】本発明の光ピックアップに使用されるフレキシブルプリント基板の接続部同士をコネクタで接続する例を示す平面図である。
【図４】光学ベースに取り付けられたコネクタの例を示す図であって（ａ）は平面図、（ｂ）は側面図である。
【符号の説明】
【００３０】
１１    光学ベース
１２    光学ベース側部
１３    引き出し線部
１４    上カバー
２１，２１ａ    光学ベース側部
２２，２２ａ    引き出し線部
２３，２４    接続部
２５    コネクタ
４１，４１ａ    コネクタ
４２    接続部
４３，４３ａ    光学ベース
【図１】
2005276263.tif 000003
【図２】
2005276263.tif 000004
【図３】
2005276263.tif 000005
【図４】
2005276263.tif 000006